(57)【要約】【課題】適切な箇所に対して効果的な補強対策を講じることにより、種々の弊害を可及的に抑制した上で充分な軽量化を図り得るフラットパネルディスプレイのバックパネル部材及び真空容器を提供する。【解決手段】フラットパネルディスプレイにおけるフロントパネル部材１との間に真空間隙部２を形成するバックパネル部材３を、真空間隙部３に面する内面３ｘを有するバック平板部３ａと、このバック平板部３ａの背面側に突出する補強部とで構成する。この補強部は、バック平板部の周縁から背面側に向かって延出された延出部３ｂと複数のリブ３ｄとで構成する。そして、バック平板部３ａと補強部３ｂ、３ｄとをプレス成型により一体形成する。【選択図】　　　　図４
2004134265.tif 000002
【特許請求の範囲】
【請求項１】
フラットパネルディスプレイのフロントパネル部材との間に真空間隙部を形成すべく配列されるバックパネル部材において、
前記真空間隙部に面して内面となる一面を有するバック平板部と、該バック平板部の背面側に突出する補強部とから構成されていることを特徴とするフラットパネルディスプレイのバックパネル部材。
【請求項２】
前記補強部が、前記バック平板部の背面に形成されたリブを備えていることを特徴とする請求項１に記載のフラットパネルディスプレイのバックパネル部材。
【請求項３】
前記補強部が、前記バック平板部の背面に形成された波形面部を備えていることを特徴とする請求項１に記載のフラットパネルディスプレイのバックパネル部材。
【請求項４】
前記補強部が、前記バック平板部の周縁から背面側に向かって延出された延出部を備えていることを特徴とする請求項１〜３の何れかに記載のフラットパネルディスプレイのバックパネル部材。
【請求項５】
前記バック平板部と補強部とが、プレス成型により一体形成されていることを特徴とする請求項１〜４の何れかに記載のフラットパネルディスプレイのバックパネル部材。
【請求項６】
請求項１〜４の何れかに記載のバックパネル部材を用いて製作されていることを特徴とするフラットパネルディスプレイ用真空容器。
【請求項７】
前記フラットパネルディスプレイ用真空容器が、フィールドエミッションディスプレイ用真空容器であることを特徴とする請求項６に記載のフラットパネルディスプレイ用真空容器。
【発明の詳細な説明】
【０００１】
【発明の属する技術分野】
本発明は、フラットパネルディスプレイのバックパネル部材及びこれを用いた真空容器に係り、特にフロント側とバック側との両パネル部材の相互間に真空間隙部が設けられる形式のフラットパネルディスプレイに使用されるバックパネル部材及び真空容器に関する。
【０００２】
【従来の技術】
近年においては、奥行き寸法が長尺な陰極線管（ＣＲＴ）に代えてまたはこれと共に、薄型のディスプレイが普及されるに至っており、この薄型ディスプレイとしては、例えばフィールドエミッションディスプレイ（ＦＥＤ）やプラズマディスプレイ（ＰＤＰ）に代表されるように、内部が真空状態とされる形式のフラットパネルディスプレイが公知となっている。
【０００３】
この種のフラットパネルディスプレイの真空容器は、画像表示用の有効画面を有する平板状のフロントパネルと、その背面側に平行配置される平板状のバックパネルとを、両者の周縁部（無効画面部位）の相互間に配設した枠状の側壁部材を介して封着したものであって、両パネルの相互間における側壁部材の内周側部位（有効画面部位）には、真空の間隙部が形成される。
【０００４】
このようなフラットパネルディスプレイの薄型軽量化の要請に応じるには、フロントパネルやバックパネルを薄肉にすることが好都合であるが、このようにしたならば、真空の間隙部の存在に起因して、フロントパネルやバックパネルが相接近状態となるような撓み変形を生じる。
【０００５】
そこで、例えば下記の特許文献１（同文献の図３）によれば、平面ガラスでなるフロントパネルと、セラミックでなる箱形のバックパネルとを封着して構成されるフラットパネルディスプレイ用真空容器において、バックパネルの外面全域に亘ってリブを形成することが開示されている。
【０００６】
【特許文献１】特開平７−１７６２７７号公報（図３）
【０００７】
【発明が解決しようとする課題】
しかしながら、上記特許文献１に開示のフラットパネルディスプレイ用真空容器のように、箱形のバックパネルの外面全域に亘ってリブを形成したのでは、バックパネルの平板部のみならず側壁部の外面にもリブを形成する必要性が生じ、このためリブのトータル重量が増大して、軽量化を阻害する要因となる。
【０００８】
しかも、例えばフィールドエミッションディスプレイの真空容器では、バックパネルの平板部の内面がカソード電極層の形成部位となることから、この平板部の内面の表面粗さや平坦度を向上させるための研摩加工が行われるが、バックパネルに側壁部が存在していると、平板部の内面を研摩加工する際にその側壁部が邪魔になり、円滑な作業を阻害する要因ともなる。
【０００９】
したがって、この種のフラットパネルディスプレイ用真空容器においては、単にリブを形成するだけでは、的確な対策が講じられているとは言い難く、如何なる箇所に対して、如何なる形態の補強構造を採用すれば最適な対策となるかが問題となる。
【００１０】
本発明は、上記事情に鑑みてなされたものであり、適切な箇所に対して効果的な補強対策を講じることにより、種々の弊害を可及的に抑制した上で充分な軽量化を図り得るフラットパネルディスプレイのバックパネル部材及び真空容器を提供することを技術的課題とする。
【００１１】
【課題を解決するための手段】
上記技術的課題を解決するためになされた本発明は、フラットパネルディスプレイのフロントパネル部材との間に真空間隙部を形成すべく配列されるバックパネル部材において、前記真空間隙部に面して内面となる一面を有するバック平板部と、該バック平板部の背面側に突出する補強部とから構成されていることを特徴とするものである。ここで、バックパネル部材は、ガラスで形成されていることが好ましいが、セラミック等の他の材質で形成されていてもよい。
【００１２】
このような構成によれば、バックパネル部材が、バック平板部と補強部とから構成され、該補強部はバック平板部にのみ設けられていることから、補強部の形成領域を狭くすることができ、これに伴って補強部の軽量化ひいてはフラットパネルディスプレイの軽量化に寄与することが可能となる。しかも、補強部は、バック平板部の背面側に突出していることから、バック平板部の内面側部位にはフロント側への突出部が存在しなくなる。したがって、バック平板部の内面の表面粗さや平坦度を向上させるための研摩加工を行う際には邪魔になる部位が存在しなくなるため、研摩作業の円滑化が促進され、例えばフィールドエミッションディスプレイにおいては、バック平板部の内面（研摩面）に適正にカソード電極層を形成することができる。
【００１３】
この場合、前記補強部は、バック平板部の背面に一体形成または別体として固着されたリブであってもよく、またバック平板部の背面に一体形成された波形面部（該波形面部の凸部）であってもよい。また、前記補強部は、リブ或いは波形面部に代えてまたはこれと共に、バック平板部の周縁から背面側に向かって延出された延出部を備えていてもよい。すなわち、バック平板部は、このような延出部のみによっても充分な補強効果を得ることができるが、リブ或いは波形面部との併用によって更に補強効果が増大する。特に、波形面部とすることにより、局部的な応力集中を回避することができ、全体的な強度を向上させることができる。
【００１４】
以上の構成において、前記バック平板部と補強部とは、プレス成型により一体形成されていることが好ましい。このようなプレス成型による一体形成は、バック平板部及び補強部がガラスで形成される場合に特に有利である。このようにすれば、容易に且つ安価に適正な剛性を有するバックパネル部材を製作できると共に、作業時間も短縮できることから、量産化を図る上で有利となる。特に、溶融ガラス塊を雄型と雌型とでプレス成型する場合には、バック平板部の周縁に上述の延出部を容易に且つ必然性をもって形成できることになる。
【００１５】
また、以上の構成を備えたバックパネル部材を用いてフラットパネルディスプレイ用真空容器を構成すれば、充分な剛性を備え且つ軽量化を図り得るフラットパネルディスプレイを提供することが可能となる。なお、以上の構成を備えたバックパネル部材に対して、フロントパネル部材は、バックパネル部材のバック平板部と平行に配列されたフロント平板部と、該フロント平板部の周縁に連なる側壁部と、該側壁部に連なり且つ前記バックパネル部材の内面側に封着される封着端部とを備えていることが好ましい。このようにすれば、フロントパネル部材をフロント平板部のみで構成した場合のように、バックパネル部材とフロントパネル部材との間に別体の側壁部材を介設してその両端を例えばフリットガラスで封着する必要がなくなり、フラットパネルディスプレイの組み立て作業が簡便且つ容易に行えると共に、フロント側に封着部が存在しないことから、当該ディスプレイのフロント側の見栄え或いは外観性が向上する。
【００１６】
更に、上記のフラットパネルディスプレイ用真空容器は、フィールドエミッションディスプレイ用真空容器であることが好ましい。すなわち、上記の構成は、二個のパネル部材の相互間に真空間隙部を有する形式のフラットパネルディスプレイ用真空容器に適用可能であって、プラズマディスプレイ用真空容器等にも適用できるものであるが、フィールドエミッションディスプレイ用真空容器に適用すれば、既に述べたカソード電極層の形成に関する利点を享受できると共に、この種のディスプレイの軽量化に大きく寄与できることになる。
【００１７】
【発明の実施の形態】
以下、本発明の実施形態に係るフラットパネルディスプレイのバックパネル部材及び真空容器を図面に基づいて説明する。図１は、本発明の第１実施形態に係る真空容器の全体概略構成を示す斜視図、図２は、図１のＡ−Ａ断面図、図３は、その真空容器の構成要素であるバックパネル部材を背面側より見た斜視図である。
【００１８】
この第１実施形態に係る真空容器は、図１及び図２に示すように、画像表示用の有効画面を形成する矩形のフロント平板部１ａを有する箱形（皿形）のフロントパネル部材１と、該フロントパネル部材１の背面側に真空の間隙部２を介して封着された矩形のバック平板部３ａを有する箱形（皿形）のバックパネル部材３とから構成される。この場合、フロントパネル部材１とバックパネル部材２とは、双方共にガラスで形成され、特にフロントパネル部材１は透明ガラスで形成される。
【００１９】
フロントパネル部材１は、バックパネル部材３のバック平板部３ａと平行に配列された上述のフロント平板部１ａと、該フロント平板部１ａの周縁に連なる側壁部１ｂと、該側壁部１ｂに連なり且つバックパネル部材３の内面側に封着される封着端部１ｃとを備えている。この場合、封着端部１ｃは、側壁部１ｂから外周側に向かって張り出す鍔状に形成されており、その端面は、バック平板部３ａのフロント側の平面周縁部にフリットガラス４を介在させて封着されている。
【００２０】
バックパネル部材３は、図３にも示すように、バック平板部３ａの周縁からバック側（背面側）に向かって延出され且つバック平板部３ａを包囲する延出部３ｂを有し、この延出部３ｂが補強部とされている。なお、この延出部３ｂの各辺部３ｃは、プレス成型時の抜け性等を考慮して、背面側（図中上方側）に移行するに連れて中心軸Ｘから漸次遠ざかる方向に傾斜している。
【００２１】
そして、この真空容器がフィールドエミッションディスプレイ（ＦＥＤ）の真空容器として構成される場合には、フロントパネル部材１のフロント平板部１ａの内面１ｘに蛍光体層とアノード電極層とが形成され、バックパネル部材３のバック平板部３ａの内面３ｘにカソード電極層が形成される。また、フロントパネル部材１のフロント平板部１ａの内面１ｘ及び側壁部１ｂの内面１ｙと、バックパネル部材３のバック平板部３ａの内面３ｘとの間に、真空の間隙部２が形成される。なお、この真空容器は、フィールドエミッションディスプレイに限らず、プラズマディスプレイ等のように内部が真空状態とされるフラットパネルディスプレイであれば、他のものにも適用可能である。
【００２２】
この第１実施形態では、フロントパネル部材１及びバックパネル部材３の何れもが、成型用金型によるプレス成型により製作されたものである。すなわち、この両パネル部材１、３は、雌型の上方に雄型を上下昇降可能に配設し、雌型内に溶融ガラス塊を供給した後、雄型を下降させて溶融ガラス塊をプレスすることにより得られたものである。この場合、プレス時には、フロントパネル部材１及びバックパネル部材３は、何れも雌型と雄型との相互間隙間において、図２に示す状態とは上下が逆となって成型される。
【００２３】
この第１実施形態に係る真空容器によれば、バックパネル部材３が、バック平板部３ａと延出部３ｂとから構成されており、補強部としての延出部３ｂの形成領域を狭い領域とすることができるため、的確な補強効果を確保しつつ、バックパネル部材３の軽量化ひいてはフラットパネルディスプレイの軽量化が図られる。更に、延出部３ｂは、バック平板部３ａの背面側に突出していることから、バック平板部３ａの内面３ｘ周辺にはフロント側への突出部が存在しなくなる。この結果、バック平板部３ａの内面３ｘの表面粗さや平坦度を向上させるべく研摩加工を行う際の邪魔物がなくなり、研摩作業の円滑化が促進され、特にフィールドエミッションディスプレイにおいては、バック平板部３ａの内面３ｘ（研摩面）に適正にカソード電極層を形成することが可能となる。
【００２４】
図４は、本発明の第２実施形態に係る真空容器の全体構成を示す縦断正面図、図５は、その真空容器の構成要素であるバックパネル部材を背面側より見た斜視図である。この第２実施形態に係る真空容器が、上述の第１実施形態に係る真空容器と相違しているところは、バックパネル部材３のバック平板部３ａの背面に複数のリブ３ｄを突設した点である。そして、これらのリブ３ｄの長手方向両端は、バックパネル部材３の延出部３ｂの内面に連なっており、また各リブ３ｄの背面側への突出寸法は、延出部３ｂの背面側への突出寸法よりも短尺とされている。更に、これらのリブ３ｄは、バックパネル部材３の一部としてプレス成型により一体成型されるが、必要ならば、リブ３ｄのみを別体として製作し、フリットガラス等により固着してもよい。また、各リブ３ｄの配列方向は、図示のように縦方向に限らず、横方向であってもよく、更には、図６に示すように、縦横につまり格子状に各リブ３ｄを配列させてもよく、或いは三角形、六角形、その他の形状を構成するようにしてもよい。なお、図４〜図６において、上述の第１実施形態と共通の構成要件については同一符号を付してその説明を省略する。
【００２５】
図７は、本発明の第３実施形態に係る真空容器の全体構成を示す縦断正面図、図８は、その真空容器の構成要素であるバックパネル部材を背面側より見た斜視図である。この第３実施形態に係る真空容器が、上述の第１実施形態に係る真空容器と相違しているところは、バックパネル部材３が、矩形のバック平板部３ａと、その背面に突設された複数のリブ３ｄとから構成され、延出部を有していない点である。そして、この場合にも、各リブ３ｄは、バックパネル部材３の一部としてプレス成型により一体成型してもよく、リブ３ｄのみを別体として製作し、フリットガラス等により固着してもよい。また、各リブ３ｄの配列方向は、図示のように縦方向に限らず、横方向であってもよく、更には、図９に示すように、縦横につまり格子状に各リブ３ｄを配列させてもよい。なお、図７〜図９において、上述の第１実施形態と共通の構成要件については同一符号を付してその説明を省略する。
【００２６】
図１０は、本発明の第４実施形態に係る真空容器の全体構成を示す縦断正面図である。この第４実施形態に係る真空容器が、上述の第１実施形態に係る真空容器と相違しているところは、バックパネル部材３の背面に波形面部３ｅを一体形成し且つ延出部３ｂを波形面部３ｅの一部とした点である。したがって、このバックパネル部材３も、雄型と雌型とを使用して溶融ガラス塊をプレスすることによって得られ、波形面部３ｅの凸条３ｆとなっている部位が補強部としての役割を果たす。また、波形面部３ｅの各凸条３ｆの配列方向は、図示のように縦方向に限らず、横方向であってもよく、更には、縦横につまり格子状に各凸条３ｆを配列させてもよい。なお、図１０において、上述の第１実施形態と共通の構成要件については同一符号を付してその説明を省略する。
【００２７】
図１１は、本発明の第５実施形態に係る真空容器の全体構成を示す縦断正面図である。この第５実施形態に係る真空容器が、上述の第１実施形態に係る真空容器と相違しているところは、フロントパネル部材１を、矩形のフロント平板部１ａのみで構成し、このフロント平板部１ａの周縁部（無効画面部位）とバック平板部３ａの周縁部との間に、矩形枠状の側壁部材５を介設した点である。この場合、側壁部材５の両端と、フロント平板部１ａ及びバック平板部３ａとの間は、それぞれフリットガラス６によって封着される。そして、バックパネル部材３としては、上述の第１〜第４実施形態の何れのものを適用してもよい。なお、図１１において、上述の第１実施形態と共通の構成要件については同一符号を付してその説明を省略する。
【００２８】
【発明の効果】
以上のように本発明によれば、フロントパネル部材との間に真空間隙部を形成するバックパネル部材を、真空間隙部に面して内面となる一面を有するバック平板部と、該バック平板部の背面側に突出する補強部とで構成したから、補強部はバック平板部にのみ設けられることになり、補強部の形成領域を狭い領域とすることが可能となって、補強部の軽量化ひいてはフラットパネルディスプレイの軽量化に寄与できることになる。しかも、補強部は、バック平板部の背面側に突出していることから、バック平板部の内面側部位にはフロント側への突出部が存在しなくなるため、バック平板部の内面の表面粗さや平坦度を向上させるための研摩加工を円滑に行えることになり、特にフィールドエミッションディスプレイにおいては、バック平板部の内面つまり研摩面に適正にカソード電極層を形成できることになる。
【００２９】
そして、前記補強部は、リブまたは波形面部であってもよいが、これに代えてまたはこれと共に、バック平板部の周縁から背面側に向かって延出された延出部を補強部とすることにより、プレス成型によって容易に製作を行えるようになり、量産化を図る上で有利となる。
【００３０】
また、上記のバックパネル部材を用いてフラットパネルディスプレイ用真空容器を構成すれば、充分な剛性を備え且つ軽量化を図り得るフラットパネルディスプレイを提供することが可能となる。
【００３１】
更に、この真空容器をフィールドエミッションディスプレイに適用すれば、この種のディスプレイの薄型軽量化を図りつつ、充分な補強効果を確保することができる。
【図面の簡単な説明】
【図１】本発明の第１実施形態に係るフラットパネルディスプレイ用真空容器の外観を示す斜視図である。
【図２】図１のＡ−Ａ断面図である。
【図３】本発明の第１実施形態に係るフラットパネルディスプレイ用真空容器の構成要素であるバックパネル部材を背面側より見た斜視図である。
【図４】本発明の第２実施形態に係るフラットパネルディスプレイ用真空容器を示す縦断正面図である。
【図５】本発明の第２実施形態に係るフラットパネルディスプレイ用真空容器の構成要素であるバックパネル部材を背面側より見た斜視図である。
【図６】本発明の第２実施形態に係るフラットパネルディスプレイ用真空容器の構成要素である他のバックパネル部材を背面側より見た斜視図である。
【図７】本発明の第３実施形態に係るフラットパネルディスプレイ用真空容器を示す縦断正面図である。
【図８】本発明の第３実施形態に係るフラットパネルディスプレイ用真空容器の構成要素であるバックパネル部材を背面側より見た斜視図である。
【図９】本発明の第３実施形態に係るフラットパネルディスプレイ用真空容器の構成要素である他のバックパネル部材を背面側より見た斜視図である。
【図１０】本発明の第４実施形態に係るフラットパネルディスプレイ用真空容器を示す縦断正面図である。
【図１１】本発明の第５実施形態に係るフラットパネルディスプレイ用真空容器を示す縦断正面図である。
【符号の説明】
１　フロントパネル部材
２　真空間隙部
３　バックパネル部材
３ａ　バック平板部
３ｂ　延出部（補強部）
３ｄ　リブ（補強部）
３ｅ　波形面部（補強部）
【図１】
2004134265.tif 000003
【図２】
2004134265.tif 000004
【図３】
2004134265.tif 000005
【図４】
2004134265.tif 000006
【図５】
2004134265.tif 000007
【図６】
2004134265.tif 000008
【図７】
2004134265.tif 000009
【図８】
2004134265.tif 000010
【図９】
2004134265.tif 000011
【図１０】
2004134265.tif 000012
【図１１】
2004134265.tif 000013